(57)【要約】      （修正有）【課題】失敗しないで簡便にネクタイを着用することができ、また、生産性が高く、かつコストを抑え、不良品が発生する割合を低くしたファスナ付きネクタイを提供する。【解決手段】ファスナ付きネクタイは、大剣部４と小剣部５とを別体に構成し、小剣部５は、結び目芯部６０にファスナ部を有する小剣部本体５０を有し、ファスナ部により分割される半片５３ａ，５３ｂを結び目芯部６０に通してその端部をループ状として形成される。そして、大剣部４の収納部に結び目芯部６０を挿入して、さらに大剣部４の本体部分を、結び目芯部６０を覆うように包み込み、収納部に形成された穴を通して形成する。【選択図】図１５
0003150653.tif 000002
【実用新案登録請求の範囲】
【請求項１】
帯状の大剣部と、前記大剣部とは別体に形成されて、幅方向の略中央部を分割するファスナ部を有する帯状の小剣部と、を備えるファスナ付きネクタイであって、
前記ファスナ部は、
互いに向かい合う片側に、長さ方向に沿って配置された複数のエレメントをそれぞれ有する２本のテープ部と、
前記長さ方向に沿って移動しながら前記複数のエレメントを噛み合わせ又は解除するスライダと、を有し、
前記小剣部は、
前記ファスナ部の前記スライダを固定する結び目芯部と、
前記スライダにより分割された半帯により形成されるループ部と、
前記ループ部とは反対側の端部に設けられ、該ネクタイの裏面側で飾り要素となる剣部小帯と、を備え、
前記大剣部は、
前記大剣部の一端側に設けられ、該ネクタイの前面側で飾り要素となる剣部大帯と、
前記大剣部の他端側に、ループ状に形成されて前記結び目芯部を収納する収納部と、を備え、
前記収納部のループ状の部分に前記剣部小帯を通して前記収納部に前記結び目芯部を挿入し、
前記剣部大帯を前記小剣部の前記ループ部に通し、前記大剣部が前記結び目芯部を覆うように前記剣部大帯を前記収納部のループ状の部分に挿通して形成されたことを特徴とするファスナ付きネクタイ。
【請求項２】
請求項１に記載のファスナ付きネクタイであって、
前記スライダは、前記ファスナ部のおもて面側に形成された凸部を備え、
前記結び目芯部は、
前記凸部が挿入される固定凹部と、
前記固定凹部に対向する位置に形成され、前記ファスナ部が嵌設される嵌設凹部と、を備えることを特徴とするファスナ付きネクタイ。
【請求項３】
請求項１又は２に記載のファスナ付きネクタイであって、
前記結び目芯部は、
前記スライダにより分割された前記小剣部の前記半帯がそれぞれ挿通する挿通部と、を備えることを特徴とするファスナ付きネクタイ。
【請求項４】
請求項１から３のいずれかに記載のファスナ付きネクタイであって、
前記収納部は、前記大剣部の幅より小さい幅の小帯を、当該小帯の両端部それぞれについて同じ面を向くように並べ、前記大剣部の他端側に固定して形成されたことを特徴とするファスナ付きネクタイ。
【請求項５】
請求項１から４のいずれかに記載のファスナ付きネクタイであって、
前記小剣部は、
前記ファスナ部の外側に沿って設けられ、前記ループ部を形成する細帯部と、を有し、
前記細帯部は、折り返して前記ループ部を形成する連続した一本の帯であり、前記ファスナ部における前記剣部小帯側の端部から、前記ファスナ部の長手方向に沿って固定されることを特徴とするファスナ付きネクタイ。
【考案の詳細な説明】
【技術分野】
【０００１】
本発明は、ネクタイに関するものである。特にファスナーを備え、結び目の形状を崩さずに着脱できるネクタイに関する。
【背景技術】
【０００２】
ネクタイを迅速にかつ見栄えよく結ぶには、多少の訓練が必要である。特にネクタイを結びなれていない場合には、結び目の形が崩れたり、ネクタイの大剣部と小剣部の長さの釣り合いが取れなかったり、結び目と大剣部との境に窪み（ディンプル）を形成できなかったりなどして、結び直さなければならない場合もある。さらには、結び方もプレーンノット、ウィンザーノット、セミウィンザーノット等様々あり、それぞれに結び方の手順や結び目の形状や大きさが異なるので、場に合わせた結び方を覚えなければならない。このように、ネクタイを結ぶことは煩雑であり、習熟するのも手間と時間がかかるものであった。
【０００３】
そこで、結び目と大剣部の部分を予め形成しておき、小剣部にファスナを設けて結び目に通し、小剣部を引っ張って長さを調節することができるファスナ付きネクタイが提案されている（例えば、特許文献１参照）。
【先行技術文献】
【特許文献】
【０００４】
【特許文献１】特開２００２−１３８３１４号公報
【０００５】
特許文献１に記載のファスナ付きネクタイは、ファスナのスライダを芯体に埋め込むようにして嵌め込み、芯体に大剣部の一方側の端部を縫いつけてから、大剣部の他方側の端部を芯体に巻き付けてネクタイを形成する。
このような場合、当該ファスナ付きネクタイを作成する手順として、（１）芯体をファスナに嵌め込み、芯体と小剣部とを組み合わせる、（２）大剣部に丁度結び目の真ん中になる位置にディンプルを作成するためのつまみを作成する、（３）大剣部の一端側近傍を芯体に縫いつける、（４）大剣部の他端側を持って、大剣部を芯体に巻き付けてネクタイの形に形成し、結び目の裏側を縫いつけて固定する、と言った段階を踏む必要がある。
この手順において、（２）のように長さ方向の位置について見当をつけてつまみを作成したり、（３）や（４）のように、芯体に大剣部を縫いつけたりと言う場合、手作業が発生するなどして大量生産するには手間と時間がかかり、コスト面で対応できない。
また、結び目を大剣部を芯体に巻き付けて形成するので、人によって結び目と大剣部の境に形成するディンプルの位置がずれたり、結び目の形状が異なる場合がある。このため、均一のものを大量生産するような場合、不良品の割合が多くなってしまう。
【考案の開示】
【考案が解決しようとする課題】
【０００６】
本考案は、上述のような問題点を解決するため、失敗しないで簡便にネクタイを着用することができるファスナ付きネクタイを提供することを目的とする。また、生産性が高く、かつコストを抑え、不良品が発生する割合を低くしたファスナ付きネクタイを提供することを目的とする。
【課題を解決するための手段】
【０００７】
本考案では、以下のような解決手段を提供する。
【０００８】
（１）本発明にかかるファスナ付きネクタイは、帯状の大剣部と、前記大剣部とは別体に形成されて、幅方向の略中央部を分割するファスナ部を有する帯状の小剣部と、を備えるファスナ付きネクタイであって、前記ファスナ部は、互いに向かい合う片側に、長さ方向に沿って配置された複数のエレメントをそれぞれ有する２本のテープ部と、前記長さ方向に沿って移動しながら前記複数のエレメントを噛み合わせ又は解除するスライダと、を有し、前記小剣部は、前記ファスナ部の前記スライダを固定する結び目芯部と、前記スライダにより分割された半帯により形成されるループ部と、前記ループ部とは反対側の端部に設けられ、該ネクタイの裏面側で飾り要素となる剣部小帯と、を備え、前記大剣部は、前記大剣部の一端側に設けられ、該ネクタイの前面側で飾り要素となる剣部大帯と、前記大剣部の他端側に、ループ状に形成されて前記結び目芯部を収納する収納部と、を備え、前記収納部のループ状の部分に前記剣部小帯を通して前記収納部に前記結び目芯部を挿入し、前記剣部大帯を前記小剣部の前記ループ部に通し、前記大剣部が前記結び目芯部を覆うように前記剣部大帯を前記収納部のループ状の部分に挿通して形成されたことを特徴とする。
【０００９】
（２）（１）に記載のファスナ付きネクタイであって、前記スライダは、前記ファスナ部のおもて面側に形成された凸部を備え、前記結び目芯部は、前記凸部が挿入される固定凹部と、前記固定凹部に対向する位置に形成され、前記ファスナ部が嵌設される嵌設凹部と、を備えることを特徴とする。
【００１０】
（３）（１）又は（２）に記載のファスナ付きネクタイであって、前記結び目芯部は、前記スライダにより分割された前記小剣部の前記半帯がそれぞれ挿通する挿通部と、を備えることを特徴とする。
【００１１】
（４）（１）から（３）のいずれかに記載のファスナ付きネクタイであって、前記収納部は、前記大剣部の幅より小さい幅の小帯を、当該小帯の両端部それぞれについて同じ面を向くように並べ、前記大剣部の他端側に固定して形成されたことを特徴とする。
【００１２】
（５）（１）から（４）のいずれかに記載のファスナ付きネクタイであって、前記小剣部は、前記ファスナ部の外側に沿って設けられ、前記ループ部を形成する細帯部と、を有し、前記細帯部は、折り返して前記ループ部を形成する連続した一本の帯であり、前記ファスナ部における前記剣部小帯側の端部から、前記ファスナ部の長手方向に沿って固定されることを特徴とする。
【考案の効果】
【００１３】
本考案によれば、失敗しないで簡便にネクタイを着用することができるファスナー付きネクタイを提供することができる。また、生産性が高く、かつコストを抑え、不良品が発生する割合を低くしたファスナー付きネクタイを提供することができる。
【図面の簡単な説明】
【００１４】
【図１】本発明の実施形態に係るファスナ付きネクタイの斜視図である。
【図２】本発明の実施形態に係るファスナ付きネクタイの裏面図である。
【図３】本発明の実施形態に係るファスナ付きネクタイの大剣部の斜視図である。
【図４】本発明の実施形態に係るファスナ付きネクタイの小剣部の上面図である。
【図５】本発明の実施形態に係るファスナ付きネクタイの小剣部の裏面図である。
【図６】本発明の実施形態に係るファスナ付きネクタイの小剣部の小剣部本体の裏面図である。
【図７】本発明の実施形態に係るファスナ付きネクタイの結び目芯部の上面図である。
【図８】本発明の実施形態に係るファスナ付きネクタイの結び目芯部の上部パーツの斜視図である。
【図９】本発明の実施形態に係るファスナ付きネクタイの結び目芯部の上部パーツの裏面図である。
【図１０】本発明の実施形態に係るファスナ付きネクタイの結び目芯部の下部パーツの斜視図である。
【図１１】本発明の実施形態に係るファスナ付きネクタイの結び目芯部の先端部分の断面図である。
【図１２】本発明の実施形態に係るファスナ付きネクタイの結び目芯部と小剣部本体とを組み立てた場合の部分拡大斜視図である。
【図１３】本発明の実施形態に係るファスナ付きネクタイの組立方法を説明する図である。
【図１４】本発明の実施形態に係るファスナ付きネクタイの組立方法を説明する図である。
【図１５】本発明の実施形態に係るファスナ付きネクタイの組立方法を説明する図である。
【考案を実施するための形態】
【００１５】
以下、本考案の実施形態について図を参照しながら説明する。
【００１６】
図１及び図２を参照して本発明にかかるファスナ付きネクタイ１について説明する。図１は、ファスナ付きネクタイ１の斜視図である。図２は、ファスナ付きネクタイ１の裏面図である。
【００１７】
ファスナ付きネクタイ１は、ループ部２と、結び目部３と、大剣部４と、小剣部５と、により構成される。また、結び目部３と大剣部４との境目部分には、当該部分の幅方向略中央にディンプル４１が形成されている。
【００１８】
ループ部２は、結び目部３において、対向する２つの頂点部分から延びる帯状の紐により形成される。このループ部２には小剣部５のファスナ部のエレメントが連続して設けられている。このループ部２に人間の頭を通して、ファスナ付きネクタイ１を首周りに移動させ、小剣部５を延在方向に引くことでループ部２のループの大きさが調整される。
【００１９】
結び目部３は、ネクタイの結び目部分に相当する部分であり、略逆三角形状に形成されている。
【００２０】
大剣部４は、ネクタイのいわゆる大剣を構成する部分であり、当該ファスナ付きネクタイ１の前面側に露出する飾り要素となる。裏側には、ループ状の小剣通し４６が設けられており、小剣部５が挿入される。
【００２１】
小剣部５は、大剣部４の裏面側に配置され、ネクタイのいわゆる小剣を構成する部分である。小剣部５と大剣部４は別体として形成され、小剣部５と大剣部４とを組み合わせることにより、ファスナ付きネクタイ１が形成される。小剣部５には、スライドファスナを有するファスナ部５１が形成されており、スライドファスナを開け閉めすることにより、小剣部５及びループ部２の長さが調整される。
【００２２】
図３を参照して大剣部４について説明する。図３は、大剣部４の斜視図である。
【００２３】
大剣部４は、大剣部本体４３と、結び目小帯４４とにより構成される。大剣部本体４３は、剣部大帯として、ファスナ付きネクタイ１の前面側に露出する飾り要素であり、その剣先４５は、鋭角状に形成されている。
【００２４】
大剣部本体４３の根本部分には、幅方向略中央にディンプル４１が形成されている。このディンプル４１は、ファスナ付きネクタイ１を組み立てた場合に、大剣部４と結び目部３との境目から所定の長さで形成される窪みである（図１参照）。ディンプル４１は、大剣部本体４３の裏面側において、大剣部本体４３を構成する布地を、裏面側に凸となるように所定量つまみ、その状態のまま縫い合わせて固定することで形成される。
【００２５】
大剣部本体４３の根本部分には、また、結び目小帯４４が縫い合わされている。結び目小帯４４は、大剣部本体４３の幅の長さより小さい幅の小帯であり、ファスナ付きネクタイ１を組み立てた場合に、結び目部３となる収納部４２を形成する。
【００２６】
この結び目小帯４４は、所定長さの小帯を同じ面が並ぶように二つ折りにし、そのまま大剣部本体４３に縫い合わせられる。そして、二つ折りにした小帯の裏面側には、後述の結び目芯部６０が収納される略三角形状の収納部４２が形成される。
【００２７】
図４から図１２を参照して小剣部５について説明する。図４は、小剣部５の上面図であり、図５は小剣部５の裏面図である。また、図６は、小剣部５の小剣部本体５０の裏面図であり、図７は、結び目芯部６０の上面図であり、図８は、結び目芯部６０の上部パーツ６１の斜視図であり、図９は、結び目芯部６０の上部パーツ６１の裏面図であり、図１０は、結び目芯部６０の下部パーツ６２の斜視図である。図１１は、結び目芯部６０の先端部分の断面図である。
【００２８】
小剣部５は、細長状の小剣部本体５０と、小剣部本体５０に取り付けられる結び目芯部６０とにより構成される。小剣部本体５０は、ファスナ部５１と、ファスナ部５１の先端に設けられた小剣部５の飾り要素となる剣部小帯５２と、ファスナ部５１の外側にファスナ部５１の長手方向に沿って接続されてループ部２を形成する細帯部５４と、を有する。
【００２９】
ファスナ部５１は、一般的に使用されているいわゆるスライドファスナを使用することができ、ファスナを開け閉めするスライダ５１１と、２本のテープ部５１２と、テープ部５１２片側に沿って固定された複数のエレメント（務歯）５１３により構成される（図６参照）。
【００３０】
横に並べた状態の２本のテープ部５１２において互いに向かい合う片側に、長手方向に沿って複数のエレメント（務歯）５１３が配列されており、スライダ５１１がエレメント５１３を噛み合わせ又は離脱させながら長手方向に沿って進退することで小剣部本体５０を幅方向略中央で分割又は分割された半片５３ａ，５３ｂを結合する。
【００３１】
ファスナのおもて面側（スライドファスナを結合した状態の時にエレメント５１３が視認できる側）には、凸部５１４が形成される。この凸部５１４は、スライドファスナにおいて、スライダを動かすための取手部分を取り付けるための突起であり、本実施形態では、取手部分は取り外した状態となっている。
【００３２】
また、ファスナ部５１は、ファスナの裏面側が剣部小帯５２のおもて面側と同じ面となるように配置され、接続される。すなわち、エレメント５１３を視認できるファスナのおもて面側がファスナ付きネクタイ１の裏面側に向くように配置される。
【００３３】
スライダ５１１は、結び目芯部６０の先端部分に固定されており、スライダ５１１により分割された半片５３ａ，５３ｂは、結び目部３内部を通って結び目部３の対向する２つの頂点３１ａ，３１ｂ部分からそれぞれ延出してループ部２を形成する。
【００３４】
剣部小帯５２は、いわゆるネクタイにおける小剣の先端部分であり、小剣部５の飾り要素となる。本実施形態では、剣部小帯５２は全体として筒状に形成され、剣部小帯５２の先端は鋭角状に形成される。また、根本部分はファスナ部５１が接続される。このときファスナ部５１は、通常スライドファスナで設けられる上止または下止が露出しないように形成される。このため、剣部小帯５２の根本部分は、筒状に形成された内部に、ファスナ部５１の先端を上止または下止部分が露出しない位置まで挿入し、ファスナ部５１と縫い合わされた状態となる。
【００３５】
細帯部５４は、ファスナ部５１の両側部に沿って設けられ、かつファスナ部５１の長手方向の長さよりも長く生成されてループ部２を構成する。細帯部５４は、ファスナ部５１と細帯部５４とを合わせた幅方向の長さが剣部小帯５２の幅方向の長さと同じ長さとなるように形成される。そして、ファスナ部５１の端部と共に剣部小帯５２の根本部分に縫い込まれる。
【００３６】
また、細帯部５４は、１本の長い帯を二つ折りにして形成されており、ファスナ部５１のテープ部５１２を挟み込むように縫いつけられている。また、細帯部５４は、ファスナ部５１の一方側の側部において、ファスナ部５１の剣部小帯５２側端部からループ部２側の端部に至るまでテープ部５１２に縫いつけられた後、さらに所定長さをおいてループを形成し、再びファスナ部５１の他方側の側部に沿ってループ部２側の端部から剣部小帯５２側の端部に至るまでテープ部５１２に縫いつけられている。細帯部５４がファスナ部５１に縫いつけられていない部分は、細帯部５４は筒状に形成される。
【００３７】
細帯部５４は、ファスナ部５１の両側部に縫いつけられているため、スライダ５１１によって分割されたテープ部５１２は、細帯部５４と共に半片５３ａ，５３ｂを構成する。そして、細帯部５４においてファスナ部５１に縫いつけられていない部分と、スライダ５１１によって分割された半片５３ａ，５３ｂによりループ部２が形成される。
なお、ファスナ部５１の結び目芯部６０側の端部においてもいわゆるスライドファスナの上止又は下止は露出しないように形成される。したがって、ファスナ部５１の当該端部は、筒状に形成された細帯部５４内部に縫い込まれている。
【００３８】
図７から図１０を参照して結び目芯部６０について説明する。結び目芯部６０は、結び目部３を構成する要素であり、略逆三角形状に形成されている。また、結び目芯部６０は、上部パーツ６１と下部パーツ６２とにより構成される。結び目芯部６０には、スライダ５１１を固定するスライダ固定部６３と、スライダ５１１により分割された半帯としての半片５３ａ，５３ｂが挿通する挿通路となる半片通路６４ａ，６４ｂとが形成される。
【００３９】
上部パーツ６１は、略Ｙ字形状に形成されており、上部パーツ本体６１１と、上部パーツ本体６１１の略中央から延びる先端部６１２と、上部パーツ本体６１１の両側部分から延びる上側通路壁６１３ａ，６１３ｂと、を有する（図８参照）。
【００４０】
先端部６１２は、上部パーツ本体６１１の上面側の高さから先端に向かってなだらかに低く形成されており、その先端部分の裏側には、スライダ固定部６３となる嵌設凹部６１４が形成される。
【００４１】
嵌設凹部６１４は、スライダ５１１が嵌設される凹部であり、スライダ５１１の形状に合わせて形成されている。本実施形態では、嵌設凹部６１４は、先端部６１２を貫通し、スライダ５１１よりも幅方向の長さが短い貫通孔６１５と、貫通孔６１５の幅方向の周縁を囲むように形成された囲み突起６１６とで形成されている。そして、貫通孔６１５の孔口部分を底面として、囲み突起６１６に囲まれた部分にスライダ５１１が嵌め込まれる。
【００４２】
上側通路壁６１３ａ,６１３ｂは、上部パーツ本体６１１の両側部分から延びる部分であり、半片通路６４ａ，６４ｂを構成する壁部である。この上側通路壁６１３ａ,６１３ｂは、上部パーツ６１の下面側が開放された凹部となっており、この凹部にスライダ５１１により分割されたファスナ部５１の半片５３ａ,５３ｂが挿通される。
【００４３】
また、上部パーツ６１は、先端部６１２の両脇から延びる２つの上側通路壁６１３ａ,６１３ｂを繋ぐように形成されたブリッジ部６１７を有する。ブリッジ部６１７は、上部パーツ本体６１１とは離間して形成されており、上部パーツ本体６１１側の面は直線状に形成される。また、ブリッジ部６１７における上部パーツ本体６１１とは反対側の面は、上側通路壁６１３ａ，６１３ｂの先端近傍からブリッジ部６１７の略中央を頂点として曲線を描くように形成されている。
【００４４】
また、上部パーツ６１には、下部パーツ６２の第１位置決め突起６２８が挿入される位置決め孔６１８が形成される。位置決め孔６１８は、上部パーツ本体６１１であって、先端部６１２の根本部分近傍に形成された貫通孔である。なお、上部パーツ本体６１１の内部は空洞となっている。
【００４５】
下部パーツ６２は、略Ｖ字状に形成されたパーツであり、スライダ５１１を固定するスライダ固定部６３を構成する固定凹部６２１と、半片通路６４ａ，６４ｂの底面を構成する通路底面部６２２ａ，６２２ｂと、半片通路６４ａ，６４ｂの上側通路壁６１３ａ，６１３ｂの外側に位置する下側通路壁６２３ａ，６２３ｂと、上部パーツ６１と結合するための第１固定突起６２５及び第２固定突起６２６と、及び上部パーツ６１と結合する際の位置決めとなる第１位置決め突起６２８及び第２位置決め突起６２９と、を有する（図１０参照）。
【００４６】
固定凹部６２１は、略Ｖ字状に形成された下部パーツ６２の頂点部分に形成され、上部パーツ６１の嵌設凹部６１４と共にスライダ固定部６３を構成する。固定凹部６２１の大きさは、スライダ５１１の大きさよりも小さく形成され、固定凹部６２１の底面は曲面となっている。そして、固定凹部６２１にスライダ５１１の凸部５１４が挿入される（図１１参照）。
【００４７】
通路底面部６２２ａ，６２２ｂは、上部パーツ６１の上側通路壁６１３ａ，６１３ｂの底面となる部分である。上側通路壁６１３ａ，６１３ｂと通路底面部６２２ａ、６２２ｂとで囲まれた部分が半片通路６４ａ，６４ｂとなる。
【００４８】
下側通路壁６２３ａ，６２３ｂは、通路底面部６２２ａ、６２２ｂから突出するように形成された壁部であり、上部パーツ６１と組み合わされた場合に上側通路壁６１３ａ，６１３ｂの外側となるように形成される。この下側通路壁６２３ａ，６２３ｂは、上部パーツ６１と下部パーツ６２とを組み合わせる場合に、上側通路壁６１３ａ，６１３ｂを通路底面部６２２ａ，６２２ｂの上面に載置するためのガイドとなる。
【００４９】
通路ガイド６２４ａ，６２４ｂは、通路底面部６２２ａ、６２２ｂにおいて、固定凹部６２１側の端部近傍に下側通路壁６２３ａ，６２３ｂから突出するように形成される。通路ガイド６２４ａ，６２４ｂは、固定凹部６２１を囲むように通路ガイド６２４ａ，６２４ｂの内側から外側にかけて形成され、通路ガイド６２４ａ，６２４ｂの外側から当該外側に沿うように、固定凹部６２１から離れる方向に所定の長さで形成される。この通路ガイド６２４ａ，６２４ｂは、スライダ固定部６３により固定されたスライダ５１１が分割した半片５３ａ，５３ｂを半片通路６４ａ，６４ｂに挿通させるためのガイドとなる。なお、通路ガイド６２４ａ，６２４ｂが下側通路壁６２３ａ，６２３ｂから突出する高さは、固定凹部６２１にスライダ５１１を載置した場合に、スライダ５１１に位置するエレメント５１３が触れない程度の高さであることが好ましい。これにより、スライダ５１１を川迫うする部材のうち、固定凹部６２１にスライダ５１１を載置した場合における下面側の部材の先端部分のみが、通路ガイド６２４ａ，６２４ｂにおける固定凹部６２１を囲むように形成された部分に当接してスライダ５１１が進行方向に動くことを規制するが、半片５３ａ，５３ｂの移動を妨げることがない。
【００５０】
第１固定突起６２５は、略Ｖ字状に形成された下部パーツ６２の頂点部分であって、固定凹部６２１近傍に形成される。この第１固定突起６２５は、上部パーツ本体６１１の裏面側であって、嵌設凹部６１４の囲み突起６１６と、位置決め孔６１８を形成する壁面との間に挿入される（図１１参照）。
【００５１】
第２固定突起６２６は、２つの下側通路壁６２３ａ，６２３ｂ間をつなぐように形成された下側ブリッジ６２７の上面側に突出して形成された２つの突起である。第２固定突起６２６は、下側ブリッジ６２７における、下部パーツ６２の先端側とは反対側の側部に沿って形成される。この第２固定突起６２６は、上部パーツ６１の上部パーツ本体６１１とブリッジ部６１７との間に挿入される（図１１参照）。
【００５２】
第１位置決め突起６２８は、略Ｖ字状に形成された下部パーツ６２の頂点部分近傍であって、第１固定突起６２５を中心として固定凹部６２１の反対側に形成される突起である。第１位置決め突起６２８は、上部パーツ６１の位置決め孔６１８に挿入される（図１１参照）。
【００５３】
第２位置決め突起６２９は、下側ブリッジ６２７における下部パーツ６２の先端側の側部に形成され、また、下側ブリッジ６２７の長手方向略中央に形成される。第２位置決め突起６２９は、上部パーツ本体６１１における、位置決め孔６１８を形成する壁面と、上部パーツ本体６１１の外側面との間に形成された隙間に挿入される（図１１参照）。
【００５４】
図１２から図１５を参照して、ファスナ付きネクタイ１の組立方法について説明する。図１２は、結び目芯部６０と小剣部本体５０とを組み立てた場合の部分拡大斜視図である。図１３から図１５は、ファスナ付きネクタイ１の組立方法を説明する図である。
【００５５】
ファスナ付きネクタイ１を組み立てるには、まず、小剣部５を形成する。つまり、小剣部本体５０と結び目芯部６０とを結合する。
【００５６】
まず、結び目芯部６０を構成する下部パーツ６２の上面側に小剣部本体５０を乗せる。このとき、下部パーツ６２の固定凹部６２１に、ファスナ部５１のスライダ５１１の凸部５１４を挿入するようにし、固定凹部６２１全体をスライダ５１１で覆うように載置する。また、スライダ５１１により分割される半片５３ａ，５３ｂをそれぞれ、両側の通路ガイド６２４ａ，６２４ｂに沿うように位置を調整する。
【００５７】
次に、上部パーツ６１と下部パーツ６２とを結合して結び目芯部６０を形成する。まず、下部パーツ６２に小剣部本体５０を載置した状態で、上部パーツ６１の下面側と下部パーツ６２の上面側とを対向させ、下部パーツ６２の第１位置決め突起６２８及び第２位置決め突起６２９を上部パーツ６１の位置決め孔６１８及び、位置決め孔６１８を形成する壁面と上部パーツ本体６１１の外側面との間に形成された隙間に挿入するよう、位置を調整する。すると第１固定突起６２５及び第２固定突起６２６も上部パーツ６１で対応する隙間の位置に調整される。そして、上部パーツ６１と下部パーツ６２とを上下方向から同時に押圧することにより、それぞれの突起と孔部等が噛み合わせられ、上部パーツ６１と下部パーツ６２とが結合される（図１２参照）。
【００５８】
このとき、スライダ５１１により分割された半片５３ａ，５３ｂそれぞれを、上部パーツ６１の上側通路壁６１３ａ，６１３ｂの凹部に通すように位置を調整する。これにより、上部パーツ６１と下部パーツ６２とを結合すると、上側通路壁６１３ａ，６１３ｂと通路底面部６２２ａ，６２２ｂにより形成される半片通路６４ａ，６４ｂに半片５３ａ，５３ｂが挿通された状態となる。そして、半片５３ａ，５３ｂは、スライダ５１１により分割された後、通路ガイド６２４ａ，６２４ｂと上部パーツ本体６１１との間を通って半片通路６４ａ，６４ｂに導入される（図１２参照）。半片５３ａ，５３ｂの向きは、細帯部５４が上部パーツ６１側に向き、ファスナ部５１のエレメント５１３が下部パーツ６２側を向くように配置される。
このように、小剣部本体５０と結び目芯部６０とが結合され，小剣部５が形成される。
【００５９】
次に、図１３に示すように、大剣部４と小剣部５とを組み合わせる。
まず、大剣部本体４３の根本部分において、その幅方向略中央を裏側から摘んだ状態で縫い合わせて固定する。これにより、大剣部本体４３の根本部分にディンプル４１となる窪みが形成される。次に大剣部本体４３と結び目小帯４４とを縫い合わせて、大剣部４を形成する（図３参照）。このとき、結び目小帯４４のおもて面側と大剣部本体４３のおもて面とが同じ面になるように両端を大剣部本体４３の根本部分に並べ、大剣部本体４３の根本部分と縫い合わせる。このため、結び目小帯４４を折り曲げた部分は、頂点部分に貫通孔が形成された略三角形状のポケット状に形成される。このポケット状に形成された部分が結び目芯部６０が挿入されて結び目部３を構成する収納部４２となる。この収納部は、大剣部本体４３の裏面側に形成される（図３参照）。
【００６０】
次に小剣部５を剣部小帯５２側から大剣部４の収納部４２に挿通させる。このとき、剣部小帯５２のおもて面側が収納部４２のポケット状になっている上面側となるように挿通される。つまり、剣部小帯５２の裏面側と大剣部本体４３の裏面側が対向するように配置される。
【００６１】
次に、図１４に示すように、収納部４２を通過した剣部小帯５２を引っ張って、収納部４２に結び目芯部６０が挿入されるまで引いていく。これにより、略Ｙ字型の結び目芯部６０は、そのＹ字型の両腕部分が収納部４２の略逆三角形状の斜面に沿うように収まり、収納部４２の頂点部分の孔から上部パーツ６１の先端部６１２の先のみが視認できるように突出した状態となる。この突出した部分には、スライダ固定部６３が設けられており、スライダ５１１が固定されている。また、半片５３ａ，５３ｂは半片通路６４ａ，６４ｂに誘導されて収納部４２の両端から外方向に誘導されている。
【００６２】
次に、図１５に示すように、大剣部本体４３の剣先４５部分を収納部４２の頂点部分の孔に通し、結び目部３を形成する。このとき、大剣部本体４３の剣先４５を一旦ループ部２のループに通し、収納部４２に挿入されている結び目芯部６０をくるむように、結び目芯部６０の上面側の上から重ねて大剣部４の剣先４５から収納部４２の頂点部分の孔に挿通させる。そして、収納部４２を通した大剣部４の剣先４５をそのまま進行方向に引っ張ると、図１に示すファスナ付きネクタイ１となる。
【００６３】
このファスナ付きネクタイ１を着用するには、まず、ループ部２の部分を結び目部３とは反対方向に引っ張ると、スライダ固定部６３に固定されたファスナ部５１のスライダ５１１が相対的にファスナ部５１を移動して小剣部本体５０を分割するとともに、分割された半片５３ａ，５３ｂの長さが長くなり、ループ部２のループの大きさが大きくなる。
【００６４】
この状態で結び目部３及び大剣部４がおもてとなるようにループ部２に頭を通し、胸元に結び目部３と大剣部４とを置く。そして、結び目部３を手で持つなどして固定した状態で小剣部５を剣先４５方向に引くと、ループ部２のループの大きさが調整される。すなわち、小剣部５を剣先４５方向に引くことにより、スライダ５１１が半片５３ａ，５３ｂに固定されている複数のエレメントを噛み合わせてファスナを閉める方向に作用する。これとともに、半片５３ａ，５３ｂが結合されて小剣部本体５０が形成されるので、小剣部本体５０の長さが長くなるとともに、ループ部２側の半片５３ａ，５３ｂ部分が短くなり、ループ部２のループの大きさが小さくなる。
【００６５】
このとき、小剣部５の長さは、小剣部本体５０の長さが最も長い状態（止まるまで小剣部５を引っ張ってループ部２のループの大きさが最小の状態）でも大剣部本体４３の長さよりも短い。そして、小剣部５を大剣部本体４３の裏側に設けられた小剣通し４６に通して着用が完了する。
【００６６】
またファスナ付きネクタイ１を身体から外すには、逆に結び目部３を手で持つなどしてそのまま剣先４５方向に引っ張る。すると、首周りに掛けられているループ部２により小剣部５が引っ張られて結び目部３が剣先４５方向に移動する。このとき、ファスナ部５１のスライダ５１１がファスナ部５１の噛み合わされている複数のエレメント５１３の噛み合わせを解除するように作用する。そして、スライダ５１１がエレメント５１３の噛み合わせを解除するにつれて、小剣部本体５０の長さが短くなるとともに、半片５３ａ，５３ｂの長さが長くなり、ループ部２のループの大きさが大きくなる。そして、ループ部２のループの大きさを頭を通せることができる大きさまで大きくすると、首周りから頭を通してファスナ付きネクタイ１を身体から外すことができる。
【００６７】
上述の実施形態によれば、ファスナ付きネクタイ１は、大剣部４と小剣部５とを別体に構成し、小剣部５は、結び目芯部６０にファスナ部５１を有する小剣部本体５０を有し、ファスナ部５１により分割される半片５３ａ，５３ｂを結び目芯部６０に通してその端部をループ状として形成される。そして、大剣部４の収納部４２に結び目芯部６０を挿入して、さらに大剣部４の本体部分を、結び目芯部６０を覆うように包み込み、収納部４２に形成された穴を通して形成する。これにより、予めネクタイが結び目と共に形成されており、ファスナ部５１により分割される半片５３ａ，５３ｂの長さを調整するだけでよいので、形の崩れないファスナ付きネクタイ１を提供することができる。また、結び目部３を作成するのは、予め形成された収納部４２に結び目芯部６０を挿入し、大剣部４の大剣部本体４３で包み込むようにするだけでよいので、ファスナ付きネクタイ１を簡便にかつ組み立てる者の差を生むことなく組み立てることができる。よって、生産上の効率を上げることができる。
【００６８】
上述の実施形態によれば、ファスナ部５１を構成するスライダ５１１には、おもて面に凸部５１４が形成され、結び目芯部６０は、凸部５１４が挿入される固定凹部６２１と、固定凹部６２１に対向する位置に形成され、スライダ５１１が嵌設される嵌設凹部６１４が形成される。これにより、ファスナ部５１のスライダ５１１を固定するには、スライダ５１１の凸部５１４を結び目芯部６０の固定凹部６２１に挿入し、嵌設凹部６１４に嵌め込むだけでよいので、組み立て方法が単純である。よって、ファスナ付きネクタイ１の組み立てを容易にすることができる。
【００６９】
上述の実施形態によれば、結び目芯部６０は、スライダ５１１により分割された半片５３ａ，５３ｂが挿通される半片通路６４ａ，６４ｂを有する。これにより、半片５３ａ，５３ｂは半片通路６４ａ，６４ｂにより所定方向に誘導されるので、スライダ５１１が複数のエレメント５１３を噛み合わせ又は噛み合わせを解除することを妨げず、かつループ部２のループの形状を維持することができる。
【００７０】
上述の実施形態によれば、収納部４２は、大剣部４の幅よりも小さい幅の結び目小帯４４を、その両端部それぞれが同じ面を向くように並べて固定することにより形成される。これにより、小帯を折り曲げた部分には、略三角形状にポケット状となった収納部４２が形成される。これにより、結び目部３を形成する収納部４２を形成するのも端に小帯を折り曲げて縫いつけるだけなので、組み立てが単純でありかつ簡単である。
【００７１】
上述の実施形態によれば、ファスナ部５１の外側には、一本の帯状の小帯を折り返して形成された細帯部５４が設けられる。この細帯部５４は、略中央部分がファスナ部５１と結合されておらず、ループ部２を構成する。これにより、ファスナ部５１のテープ部５１２の両側部が露出することがないので見栄えがよく、かつ小剣部５を補強することができる。
【００７２】
上述の実施形態によれば、下部パーツ６２に固定凹部６２１を備え、ファスナ部５１のスライダ５１１におけるファスナ自体のおもて面に形成される凸部５１４が挿入される。つまり、小剣部５のおもて面となる側には、ファスナ部５１の裏面側が配置される。これにより、ファスナ部５１の裏面側はテープ部５１２に覆われた状態となり、エレメント５１３が視認されないので、小剣部５が大剣部４から見えてしまった場合でも、ファスナ部５１が目立たないので視認性がよくなる。
【００７３】
上述の実施形態では、上部パーツ６１及び下部パーツ６２を結合させる際に、第１固定突起６２５、第２固定突起６２６、第１位置決め突起６２８及び第２位置決め突起６２９により結合させるとしたが、これに限らない。上部パーツ６１及び下部パーツ６２を最適な位置で結合することができればよく、例えば、第１固定突起６２５又は第２固定突起６２６のいずれか、もしくは、第１位置決め突起６２８又は第２位置決め突起６２９のいずれかを備えなくてもよい。
【００７４】
上述の実施形態では、大剣部４及び小剣部５はそれぞれ剣先が鋭角状の大剣部本体４３及び剣部小帯５２を備えるとしたが、その形状は鋭角状でなくてもよい。ファスナ付きネクタイ１自体のデザインに応じて剣先の形状を形成することができる。
【００７５】
上述の実施形態では、上部パーツ６１の嵌設凹部６１４は、貫通孔６１５と囲み突起６１６により構成されるとしたがこれに限らない。嵌設凹部６１４によりスライダ５１１が固定できる形状であればよい。例えば、貫通孔ではなく、凹部であってもよく、スライダ５１１自体が凹部に嵌め込まれるように状態であってもよい。
同様に、下部パーツ６２の固定凹部６２１はスライダ５１１の凸部が挿入可能な凹部であるとしたがこれに限らず、貫通孔であってもよい。
【００７６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【符号の説明】
【００７７】
１  ファスナ付きネクタイ
２  ループ部
３  結び目部
４  大剣部
５  小剣部
４１  ディンプル
４２  収納部
４３  大剣部本体
４４  結び目小帯
４５  剣先
５０  小剣部本体
５１  ファスナ部
５２  剣部小帯
５３  大剣部本体
５３ａ，５３ｂ  半片
５４  細帯部
６０  結び目芯部
６１  上部パーツ
６２  下部パーツ
６３  スライダ固定部
６４ａ，６４ｂ  半片通路
５１１  スライダ
６１４  嵌設凹部
６１５  貫通孔
６２１  固定凹部
【図１】
0003150653.tif 000003
【図２】
0003150653.tif 000004
【図３】
0003150653.tif 000005
【図４】
0003150653.tif 000006
【図５】
0003150653.tif 000007
【図６】
0003150653.tif 000008
【図７】
0003150653.tif 000009
【図８】
0003150653.tif 000010
【図９】
0003150653.tif 000011
【図１０】
0003150653.tif 000012
【図１１】
0003150653.tif 000013
【図１２】
0003150653.tif 000014
【図１３】
0003150653.tif 000015
【図１４】
0003150653.tif 000016
【図１５】
0003150653.tif 000017